【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
近位端部と遠位端部との間に延びている軸線を有し、且つ外科器具を受入れるようになっている作用チャンネルを有する外科装置であって、
作用チャンネルに沿って配置された弁ハウジングと、
弁ハウジングに配置されていて、外科器具が作用チャンネルに配置されると、外科器具に対して器具シールを形成するようになっている弁組立体と、
細長い形状を有し、弁組立体の作用チャンネルの少なくとも一部を画成する管と、
弁ハウジングと管との間に配置され、管の揺れ運動を容易にする可撓性コネクタと、
管により支持されていて、器具シールを形成するための特性を有する隔膜弁と、を備えており、
前記隔膜弁は可撓性コネクタから第１の距離のところに配置されており、この第１の距離は作用チャンネル内の外科器具の移動に応じて管および隔膜弁の移動を容易にするために第１レバーアームをなしていることを特徴とする外科装置。
【請求項２】
前記弁組立体に含まれる案内構造体を更に備えており、この案内構造体は、外科器具の移動に応じて管および隔膜弁の移動を容易にする第２のレバーアームを設けるように可撓性コネクタから第２の距離のところに配置されていることを特徴とする請求項１に記載の外科装置。
【請求項３】
前記案内構造体は、弁組立体と器具との間の摩擦力を抑制するために少なくとも１つの線に沿って器具と接触状態で配置されていることを特徴とする請求項２に記載の外科装置。
【請求項４】
前記管は直径を有しており、前記第１レバーアームは管の直径より大きい長さを有していることを特徴とする請求項１に記載の外科装置。
【請求項５】
前記案内構造体は、作用チャンネルに外科器具が不在の状態で作用チャンネルをシールするための特性を有するゼロ弁を備えていることを特徴とする請求項２に記載の外科装置。
【請求項６】
案内構造体は隔膜弁の剛性より大きい剛性を有していることを特徴とする請求項２に記載の外科装置。
【請求項７】
管は遠位端部および近位端部を有しており、
可撓性コネクタは、概ね管の近位端部と弁ハウジングとの間にハウジングシールを形成することを特徴とする請求項１に記載の外科装置。
【請求項８】
隔膜弁は、概ね管の遠位端部のところに配置されていることを特徴とする請求項７に記載の外科装置。
【請求項９】
可撓性コネクタは、弁ハウジングに対して管の近位端部を浮動させるための特性を有していることを特徴とする請求項１に記載の外科装置。
【請求項１０】
管の近位端部は、可撓性コネクタのまわりに一般に回動可能であり、弁ハウジングに対して一般に揺動自在であることを特徴とする請求項１に記載の外科装置。
【請求項１１】
管は、直径と、この直径より大きい軸方向長さとを有していることを特徴とする請求項１に記載の外科装置。
【請求項１２】
ハウジングの諸部分がソケットを画成しており、可撓性コネクタは、ソケット内で移動可能なボールを備えていることを特徴とする請求項１に記載の外科装置。
【請求項１３】
可撓性コネクタは、ベローズよりなることを特徴とする請求項１に記載に外科装置。
【請求項１４】
近位端部と遠位端部との間に延びている軸線を有していて、外科器具を受入れるようになっている作用チャンネルを有している外科装置であって、
作用チャンネルに沿って配置された弁ハウジングと、
作用チャンネルに沿って弁ハウジングに配置されていて、器具が作用チャンネルに存在するとき、器具に対する器具シールを形成するようになっている弁と、を備えており、
前記弁は、器具シールの形成を容易にする器具に対する好適な配向を有しており、
弁を弁ハウジングに連結する支持体を備えており、
前記支持体は、器具の挿入中、器具に追従するための、および器具による弁の系に先立って弁を好適な配向へ移動させるための特性を有しており、
前記支持体は、近位端部および遠位端部を有する管よりなり、管の近位端部はハウジングに連結されており、管の遠位端部は弁に連結されており、前記管は、長さと、この長さより小さい直径とを有していることを特徴とする外科装置。
【請求項１５】
前記弁は、隔膜弁よりなることを特徴とする請求項１４に記載の外科装置。
【請求項１６】
前記隔膜弁に連結された案内構造体を更に備えており、この案内構造体は、隔膜弁を好適な配向に向けて移動させるための器具の移動に応答する特性を有していることを特徴とする請求項１５に記載の外科装置。
【請求項１７】
前記案内構造体は、ゼロ弁であることを特徴とする請求項１６に記載の外科装置。
【請求項１８】
前記支持体は、ベローズを有していることを特徴とする請求項１４に記載の外科装置。
【請求項１９】
前記支持体の少なくとも一部が、ハウジングに対して移動可能であることを特徴とする請求項１４に記載の外科装置。
【請求項２０】
前記支持体は、ハウジングと回動関係を有していることを特徴とする請求項１９に記載の外科装置。
【請求項２１】
前記支持体は、ハウジングと摺動可能な関係を有していることを特徴とする請求項１９に記載の外科装置。
【請求項２２】
器具軸線を有している外科器具を受入れるようになっている作用チャンネルを有する外科接近装置であって、
作用チャンネルに沿って配置された弁ハウジングと、
弁ハウジング内に配置された弁組立体と、
弁組立体に含まれていて、器具が作用チャンネルにあるとき、器具に対する器具シールを形成するための特性を有している弁と、を備えており、
前記弁および器具は器具シールの形成を容易にする好適な配向を有しており、
弁ハウジング内の弁と連結され、且つ器具の移動に応答する特性を有していて、弁を器具とともに好適な配向に向けて移動させる手段を備えていることを特徴とする外科接近装置。
【請求項２３】
器具は器具軸線を有しており、弁は弁軸線を有しており、弁を移動させる手段は、弁軸線を、これが器具軸線と概ね整合される好適な配向に向けて器具軸線に対して調整するための手段を備えていることを特徴とする請求項２２に記載の外科接近装置。
【請求項２４】
弁ハウジングはハウジング軸線を有しており、正常な位置において、弁軸線はハウジング軸線と概ね整合されていることを特徴とする請求項２３に記載の外科接近装置。
【請求項２５】
弁移動手段は、更に、
弁との概ね固定された関係と、器具の移動に応答して弁を好適な配向に向けて移動させる特性とを有している案内構造体を備えていることを特徴とする請求項２２に記載の外科接近装置。
【請求項２６】
案内構造体は、直径と、この直径より大きい長さとを有している細長い管よりなることを特徴とする請求項２５に記載の外科接近装置。
【請求項２７】
外科器具を受入れるようになっている作用チャンネルを有する外科接近装置であって、  作用チャンネルを画成し、側壁部および端壁部を有する弁ハウジングと、
端壁にのみ撓み可能に連結された弁モジュールと、を備えており、ハウジングの端壁部は、作用チャンネルを概ね遮断されていないままにするために弁モジュールと共にハウジングの側壁部から取外し可能であることを特徴とする外科接近装置。
【請求項２８】
弁モジュールは、隔膜弁を有していることを特徴とする請求項２７に記載の外科接近装置。
【請求項２９】
弁モジュールは更に、器具で弁を好適な配向に向けて調整するために器具の移動に応答する案内構造体を備えていることを特徴とする請求項２８に記載の外科接近装置。
【請求項３０】
案内構造体は、直径と、この直径以上のことはあっても以下ではない長さとを有する細長い管を有していることを特徴とする請求項２９に記載の外科接近装置。
【請求項３１】
案内構造体は、ゼロ弁よりなることを特徴とする請求項２９に記載の外科接近装置。
【請求項３２】
近位端部と遠位端部との間でずっと延びている軸線を有しており、器具を受入れるようになっている作用チャンネルを備えている外科接近装置であって、
作用チャンネルに沿って配置された弁ハウジングと、
弁ハウジング内に配置されていて、少なくとも１つの弁を有している弁組立体と、
弁組立体の近位方向で弁組立体に連結されている浮動構造体と、を備えており、
前記浮動構造体は、弁組立体を概ね円弧に沿って弁ハウジングに対して浮動させるための特性を有していることを特徴とする外科接近装置。
【請求項３３】
前記浮動構造体は、第１の浮動構造体であり、装置は、
弁組立体を概ね平面内で浮動させるための特性を有する第２の浮動構造体を更に備えていることを特徴とする請求項３２に記載の外科接近装置。
【請求項３４】
弁組立体は、
弁に連結されていて、作用チャンネル内の器具の移動に応答して弁を移動させるための特性を有している案内手段を有していることを特徴とする請求項３２に記載の外科接近装置。
【請求項３５】
案内手段は、細長い管を有していることを特徴とする請求項３４に記載の外科接近装置。
【請求項３６】
管は直径と、この直径より大きい長さとを有している、ことを特徴とする請求項３５に記載の外科接近装置。
【請求項３７】
案内手段は、ゼロ弁を有していることを特徴とする請求項３４に記載の外科接近装置。
【請求項３８】
案内手段は、ゼロ弁を有していることを特徴とする請求項３５に記載の外科接近装置。
【請求項３９】
弁は近位側部および遠位側部を有しており、
管は弁の近位側部に連結されており、
ゼロ弁は弁の遠位側部に連結されている、ことを特徴とする請求項３８に記載の外科接近装置。
【請求項４０】
外科接近装置のシールハウジングに配置されるようになっている弁組立体であって、
シールハウジング内に配置されていて、近位端部および遠位端部を有している細長い管と、
管をその近位端部と遠位端部と間でシールハウジングに取付けための可撓性継手と、
管の遠位端部を３次元においてシールハウジングに対して浮動し易くする特性を有している可撓性継手と、を備えていることを特徴とする弁組立体。
【請求項４１】
可撓性継手は、管の遠位端部を少なくとも２次元においてシールハウジングに対して浮動し易くする特性を有していることを特徴とする請求項４０に記載の弁組立体。
【請求項４２】
弁は隔膜弁であり、弁組立体は更に管により支持されたゼロ弁を備えていることを特徴とする請求項４０に記載の弁組立体。
【請求項４３】
ゼロ弁は、隔膜弁の遠位方向に配置されていることを特徴とする請求項４２に記載の弁組立体。
【請求項４４】
管は、円錐形の形状を有していることを特徴とする請求項４０に記載の弁組立体。
【請求項４５】
管は、円筒形の形状を有していることを特徴とする請求項４０に記載の弁組立体。
【請求項４６】
弁は管と一体であることを特徴とする請求項４０に記載の弁組立体。
【請求項４７】
可撓性継手は、ベローズよりなることを特徴とする請求項４０に記載の弁組立体。
【請求項４８】
作用チャンネルに沿って器具を受入れるようになっているトロカールであって、
近位端部と遠位端部との間に延びている軸線を有するカニューレと、
近位端部と、カニューレの近位端部に連結された遠位端部とを有している弁ハウジングと、
遠位端部と、弁ハウジングの近位端部に近接して弁ハウジングに連結された近位端部とを有している弁支持体と、
弁支持体の遠位端部に近接し、且つ弁ハウジングの遠位端部に近接して作用チャンネルに沿って弁支持体により吊り下げられた弁と、を備えており、
前記弁支持体は、弁が軸線に対して斜めの関係で揺動自在であるように、弁ハウジングとの浮動関係を有していることを特徴とするトロカール。
【請求項４９】
弁支持体と弁ハウジングとの間に配置された継手を更に備えており、この継手は弁と弁ハウジングとの間の浮動関係を容易にする特性を有していることを特徴とする請求項４８に記載のトロカール。
【請求項５０】
継手は、ベローズよりなることを特徴とする請求項４９に記載のトロカール。
【請求項５１】
器具との弁の整合を容易にするための案内構造体を更に備えていることを特徴とする請求項４８に記載のトロカール。
【請求項５２】
案内構造体は弁および支持体により支持されており、
案内構造体は、軸線に対する器具の角度を検出し、弁支持体を移動させて弁を器具との整合に向けて移動させるための特性を有していることを特徴とする請求項５１に記載のトロカール。
【請求項５３】
案内構造体は弁の遠位方向に配置されている、ことを特徴とする請求項５２に記載のトロカール。
【請求項５４】
弁は隔膜弁であり、案内構造体はゼロ弁よりなることを特徴とする請求項５３に記載のトロカール。
【請求項５５】
案内構造体は、弁の近位方向に配置されていることを特徴とする請求項５２に記載のトロカール。
【請求項５６】
案内構造体は、器具が作用チャンネルに挿入されると、器具に接触するために各々が弁支持体の内方に延びている複数の突起を有していることを特徴とする請求項５５に記載のトロカール。
【請求項５７】
突起は環状体、折曲げ部、フィン、フィンガおよび葉片のうちの少なくとも１種を含むことを特徴とする請求項５６に記載のトロカール。
【請求項５８】
弁は隔膜弁であり、トロカールは更に、
隔膜弁の遠位方向で弁ハウジングに連結されたゼロ弁を備えていることを特徴とする請求項５５に記載のトロカール。